Podtech/llm-jp-corpus-v4-ja_patent huggingface dataset:
【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
複数の画像データを含む画像データファイルを処理する画像処理装置であって、
前記画像データを処理するデータ処理部と、
前記画像データファイルに含まれる前記複数の画像データのうち一部の画像データが処理できないものである場合、前記処理できない画像データに対応する属性情報を有する、前記画像データファイルに含まれる別の画像データを抽出する抽出部と、
前記処理できない画像データの代替として、前記抽出部で抽出した前記別の画像データを前記データ処理部に処理させる制御部と、
を有することを特徴とする画像処理装置。
【請求項２】
前記画像データは、ページヘッダを有し、前記属性情報は前記ページヘッダに格納されていることを特徴とする請求項１記載の画像処理装置。
【請求項３】
前記属性情報は、親画像又は子画像である旨の情報、対応する親画像情報、対応する子画像情報、親画像と子画像との関連種別情報、及び親画像と子画像との関連種別サブデータ情報のうち少なくとも１つであることを特徴とする請求項１又は２記載の画像処理装置。
【請求項４】
前記関連種別情報は、プレビュー情報、連写情報、撮影条件変更情報、及び多視点情報のうち少なくとも１つであることを特徴とする請求項３記載の画像処理装置。
【請求項５】
前記関連種別情報に応じて、前記別の画像データを前記処理できない画像データに近似させるための画像処理を当該別の画像データに施す近似処理部を有することを特徴とする請求項４記載の画像処理装置。
【請求項６】
前記関連種別情報が同じ複数の前記別の画像データがある場合に、前記抽出部は、前記処理できない画像データとの変化量が最も小さい前記別の画像データを抽出することを特徴とする請求項４又は５記載の画像処理装置。
【請求項７】
前記関連種別情報が異なる複数の前記別の画像データがある場合に、前記抽出部は、連写画像よりも優先してプレビュー画像を抽出することを特徴とする請求項４又は５記載の画像処理装置。
【請求項８】
前記抽出部が、前記処理できない画像データに対応する属性情報を有する別の画像データを抽出できない場合は、前記制御部は、前記処理できない画像データに対する処理を無視して次の画像データの処理を行うように前記データ処理部を制御することを特徴とする請求項１乃至７のいずれか１項に記載の画像処理装置。
【請求項９】
前記抽出部が、前記処理できない画像データに対応する属性情報を有する別の画像データを抽出できない場合は、前記制御部は全ての画像処理を終了させることを特徴とする請求項１乃至７のいずれか１項に記載の画像処理装置。
【請求項１０】
複数の画像データを含む画像データファイルを処理する画像処理方法であって、  
前記画像データファイルに含まれる前記複数の画像データのうち一部の画像データが処理できないものである場合、前記処理できない画像データに対応する属性情報を有する、前記画像データファイルに含まれる別の画像データを抽出する抽出ステップと、
前記処理できない画像データの代替として、前記抽出した画像データを処理するデータ処理ステップと、
を有することを特徴とする画像処理方法。
【請求項１１】
複数の画像データを含む画像データファイルを処理する画像処理方法をコンピュータに実行させるプログラムであって、
前記画像処理方法は、
前記画像データファイルに含まれる前記複数の画像データのうち一部の画像データが処理できないものである場合、前記処理できない画像データに対応する属性情報を有する、前記画像データファイルに含まれる別の画像データを抽出する抽出ステップと、
前記処理できない画像データの代替として、抽出した画像データを処理するデータ処理ステップと、
を有することを特徴とするプログラム。
【請求項１２】
請求項１１記載のプログラムを格納したことを特徴とするコンピュータで読み取り可能な記憶媒体。
【手続補正２】
【補正対象書類名】明細書
【補正対象項目名】０００９
【補正方法】変更
【補正の内容】
【０００９】
上記目的を達成するために、請求項１記載の画像処理装置は、複数の画像データを含む画像データファイルを処理する画像処理装置であって、前記画像データを処理するデータ処理部と、前記画像データファイルに含まれる前記複数の画像データのうち一部の画像データが処理できないものである場合、前記処理できない画像データに対応する属性情報を有する、前記画像データファイルに含まれる別の画像データを抽出する抽出部と、前記処理できない画像データの代替として、前記抽出部で抽出した前記別の画像データを前記データ処理部に処理させる制御部と、を有することを特徴とする。
【手続補正３】
【補正対象書類名】明細書
【補正対象項目名】００１０
【補正方法】変更
【補正の内容】
【００１０】
請求項１０記載の画像処理方法は、複数の画像データを含む画像データファイルを処理する画像処理方法であって、前記画像データファイルに含まれる前記複数の画像データのうち一部の画像データが処理できないものである場合、前記処理できない画像データに対応する属性情報を有する、前記画像データファイルに含まれる別の画像データを抽出する抽出ステップと、前記処理できない画像データの代替として、前記抽出した画像データを処理するデータ処理ステップと、を有することを特徴とする。
【手続補正４】
【補正対象書類名】明細書
【補正対象項目名】００１１
【補正方法】変更
【補正の内容】
【００１１】
請求項１１記載のプログラムは、複数の画像データを含む画像データファイルを処理する画像処理方法をコンピュータに実行させるプログラムであって、前記画像処理方法は、前記画像データファイルに含まれる前記複数の画像データのうち一部の画像データが処理できないものである場合、前記処理できない画像データに対応する属性情報を有する、前記画像データファイルに含まれる別の画像データを抽出する抽出ステップと、前記処理できない画像データの代替として、抽出した画像データを処理するデータ処理ステップと、を有することを特徴とする。
【手続補正５】
【補正対象書類名】明細書
【補正対象項目名】００１３
【補正方法】変更
【補正の内容】
【００１３】
本発明は、複数の画像データを含む画像データファイルを処理する際、処理の対象となる画像データ内に処理できない画像データがある場合であっても、対応する属性情報を有する別の画像データを処理できない画像データの代替として処理するようにした。これによって、複数の画像データを含む画像データファイルの処理において処理が中断してしまう頻度を少なくして有効な処理を実施することができる。
【手続補正書】
【提出日】平成23年8月1日(2011.8.1)
【手続補正１】
【補正対象書類名】明細書
【補正対象項目名】０００５
【補正方法】変更
【補正の内容】
【０００５】
一方、近年のネットワークの多様化に伴い、ユーザ毎に伝送路の帯域変動が大きく、また、映像受信端末の解像度も多様化している。このような条件の異なる複数のユーザへの映像の同時配信には、図１８に示す階層化マルチキャスト配信が適している。このような階層化マルチキャスト配信において、ブロードキャスト暗号方式の適用を考えると、ブロードキャスト暗号方式では対象とする暗号化データは１つであることから、直接適用した場合、階層性が失われてしまう。すなわち、映像の品質や解像度毎の受信制御が不可能であり、全受信者に対して同じ品質の映像のみしか受信できない。
【非特許文献１】R. Parnes and R. Parviainen, “Large scale distributed water-markingof multicast media through encryption, Proc. Of IFIP Communications and  Multimedia Security Issues of the New Century, pp. 17-26, 2001
【非特許文献２】A. Fait and M. Naor, “Broadcast encryption”, CRYPTO 1993, LNCS 773,pp. 480-491, 1993
【非特許文献３】豊島鑑、井上武、植松仁、高橋宏和、仁科五月、高木剛、湊真一、“漏洩者の特定と配信停止が可能なマルチキャスト配信方式”、２００８年電子情報通信学会総合大会、BS-5-5.
【手続補正書】
【提出日】平成23年2月3日(2011.2.3)
【手続補正１】
【補正対象書類名】明細書
【補正対象項目名】００７１
【補正方法】変更
【補正の内容】
【００７１】
例えば、優先度別キューバッファ４０１０−１〜４０１０−４の優先度１のキューにはＯＮＵ＃３３（３００−１）、優先度２のキューにはＯＮＵ＃１（３１０−２）、優先度３のキューにはＯＮＵ＃３４（３２０−３）、優先度４のキューにはＯＮＵ＃３５（３００−４）へ送信される情報が、それぞれ格納されているとする。優先度別キュー情報監視部５０００は、この格納された各宛先と情報量を取り込み、下りＢＷマップテーブル生成部５０２０へ通知する。その後、下りＢＷマップテーブル生成部５０２０は、優先度別のキュー情報に基づきＯＮＵに帯域を割り当てて送信タイミング（Ｓｔａｒｔ、Ｅｎｄ）を求める。また、下りＢＷマップテーブル生成部５０２０は、事前にＯＮＵ伝送速度判定・情報記憶部５０１０が作成したＯＮＵ  ＩＤ伝送速度対応テーブル６２０の各ＯＮＵ３００／３１０／３２０の伝送速度を参照し、送信する情報の優先度と各宛先に対する伝送速度、確保する帯域の一覧である下りＢＷマップ８００を作成する。なお、この時、次フレームのオーバヘッド情報の帯域割り当ても加えて、次フレーム到達時には、伝送速度毎のオーバヘッド情報から受信タイミングが判明しているような構成にする。なお、これらの図中に示した割り当て帯域は一例であり、本実施の形態がこの帯域に縛られるものではない。
【手続補正書】
【提出日】平成23年7月28日(2011.7.28)
【手続補正１】
【補正対象書類名】特許請求の範囲
【補正対象項目名】全文
【補正方法】変更
【補正の内容】
【特許請求の範囲】
【請求項１】
フルブリッジ形の複数の増幅器と、複数の増幅器からの出力を直列合成する合成器とを備えるＤ級増幅装置において、
前記増幅器が、
発振器からの搬送波信号に従ってオン／オフする第１のトランジスタと、
前記搬送波信号の逆位相の信号を生成する反転回路と、
前記反転回路で生成された搬送波信号の逆位相の信号に従ってオン／オフする第２のトランジスタと、
前記第１及び前記第２のトランジスタのオン／オフによって一次側中点を中心にプッシュプル動作を行い、二次側から前記搬送波信号に同位相又は逆位相の矩形波を出力するパルストランスと、
前記パルストランスの二次側から出力される前記搬送波信号に同位相の矩形波でオン／オフし、フルブリッジ形を構成する第３のトランジスタ及び第４のトランジスタと、
前記パルストランスの二次側から出力される前記搬送波信号に逆位相の矩形波でオン／オフし、フルブリッジ形を構成する第５のトランジスタ及び第６のトランジスタと、
ブリッジ形を構成する前記第３乃至６のトランジスタに電圧を印加する電源と、
を有することを特徴とするＤ級増幅装置。
【請求項２】
請求項１に記載のＤ級増幅装置において、
音声信号の有無によってオン／オフし、前記第５のトランジスタのゲートに入力される矩形波を入力し、前記矩形波のパルス幅を狭くする調整を行い、調整された矩形波を前記第６のトランジスタのゲートに出力する第１のタイミング調整回路とを有することを特徴とするＤ級増幅装置。
【請求項３】
請求項２に記載のＤ級増幅装置において、
音声信号の有無によってオン／オフし、前記第３のトランジスタのゲートに入力される矩形波を入力し、前記矩形波のパルス幅を狭くする調整を行い、調整された矩形波を前記第４のトランジスタのゲートに出力する第２のタイミング調整回路とを有することを特徴とするＤ級増幅装置。
【手続補正書】
【提出日】平成23年7月7日(2011.7.7)
【手続補正１】
【補正対象書類名】特許請求の範囲
【補正対象項目名】全文
【補正方法】変更
【補正の内容】
【特許請求の範囲】
【請求項１】
外部に接続される画像送信装置から画像データを受信する画像受信手段と、
前記画像受信手段が受信した画像データのアスペクト比を、後記送信アスペクト比特定手段によって特定されたアスペクト比に変更するアスペクト比変更手段と、
外部に接続される画像受信装置に画像データを送信する画像送信手段と、
画像データの送信先毎に前記画像受信装置のアスペクト比を管理するアスペクト比管理手段と、
ユーザ操作に応じて、画像データの送信先を１又は複数選択する送信先選択手段と、
前記画像送信装置から受信した画像データのアスペクト比を判別するアスペクト比判別手段と、
前記送信先選択手段によって選択された１又は複数の送信先に対応付けて前記アスペクト比管理手段によって管理されている１又は複数のアスペクト比と、前記アスペクト比判別手段によって判別された画像データのアスペクト比とに基づいて、前記画像送信装置が送信すべき画像データのアスペクト比と、前記アスペクト比変更手段が変更すべきアスペクト比とを特定する送信アスペクト比特定手段と、
前記送信アスペクト比特定手段によって特定された前記画像送信装置が送信すべき画像データのアスペクト比に、画像データを変更して出力するように前記画像送信装置に指示する指示手段とを備える、画像送受信装置。
【請求項２】
前記送信先選択手段が出力先として第１アスペクト比の第１画像受信装置と、第２アスペクト比の第２画像受信装置とを選択し、前記アスペクト比判別手段によって画像データのアスペクト比が第２アスペクト比であると判別された場合、
前記送信アスペクト比特定手段が、前記画像送信装置が送信すべき画像データのアスペクト比を第２アスペクト比と特定し、前記アスペクト比変更手段が変更すべきアスペクト比を第１アスペクト比と特定し、
前記画像受信手段が、第２アスペクト比の画像データを受信し、
前記画像送信手段が、前記アスペクト比変更手段によってアスペクト比が変更された第１アスペクト比の画像データを前記第１画像受信装置に送信し、前記アスペクト比変更手段によってアスペクト比が変更されていない第２アスペクト比の画像データを前記第２画像受信装置に送信する、請求項１に記載の画像送受信装置。
【請求項３】
前記送信先選択手段が出力先として第１アスペクト比の第１画像受信装置と、第２アスペクト比の第２画像受信装置とを選択し、前記アスペクト比判別手段によって画像データのアスペクト比が第１アスペクト比であると判別された場合、
前記送信アスペクト比特定手段が、前記画像送信装置が送信すべき画像データのアスペクト比を第２アスペクト比と特定し、前記アスペクト比変更手段が変更すべきアスペクト比を第１アスペクト比と特定し、
前記画像受信手段が、第１アスペクト比の画像データの上下に黒帯が付された第２アスペクト比の画像データを受信し、
前記画像送信手段が、前記アスペクト比変更手段によってアスペクト比が変更された第１アスペクト比の画像データを前記第１画像受信装置に送信し、前記アスペクト比変更手段によってアスペクト比が変更されていない第２アスペクト比の画像データを前記第２画像受信装置に送信する、請求項１または２に記載の画像送受信装置。
【請求項４】
前記送信先選択手段が出力先として第１アスペクト比の第１画像受信装置を選択し、前記アスペクト比判別手段によって画像データのアスペクト比が第１アスペクト比であると判別された場合、
前記送信アスペクト比特定手段が、前記画像送信装置が送信すべき画像データのアスペクト比を第１アスペクト比と特定し、
前記画像受信手段が、第１アスペクト比の画像データを受信し、
前記画像送信手段が、前記アスペクト比変更手段によってアスペクト比が変更されていない第１アスペクト比の画像データを前記第１画像受信装置に送信する、請求項１〜３のいずれかに記載の画像送受信装置。
【請求項５】
前記送信先選択手段が出力先として第１アスペクト比の第１画像受信装置を選択し、前記アスペクト比判別手段によって画像データのアスペクト比が第２アスペクト比であると判別された場合、
前記送信アスペクト比特定手段が、前記画像送信装置が送信すべき画像データのアスペクト比を第１アスペクト比と特定し、
前記画像受信手段が、第２アスペクト比の画像データの左右に黒帯が付された第１アスペクト比の画像データを受信し、
前記画像送信手段が、前記アスペクト比変更手段によってアスペクト比が変更されていない第１アスペクト比の画像データを前記第１画像受信装置に送信する、請求項１〜４のいずれかに記載の画像送受信装置。
【請求項６】
前記送信先選択手段が出力先として第１アスペクト比の第１画像受信装置を選択し、前記アスペクト比判別手段によって画像データのアスペクト比が第２アスペクト比であると判別された場合、
前記送信アスペクト比特定手段が、前記画像送信装置が送信すべき画像データのアスペクト比を第１アスペクト比と特定し、
前記画像受信手段が、第２アスペクト比の画像データを左右に引き延ばすように拡大された第１アスペクト比の画像データを受信し、
前記画像送信手段が、前記アスペクト比変更手段によって黒帯が付された第１アスペクト比の画像データを前記第１画像受信装置に送信する、請求項１〜４のいずれかに記載の画像送受信装置。
【請求項７】
請求項１〜６のいずれかに記載の画像送受信装置の各手段をコンピュータに実行させる、画像送受信プログラム。
【手続補正書】
【提出日】平成23年8月8日(2011.8.8)
【手続補正１】
【補正対象書類名】特許請求の範囲
【補正対象項目名】全文
【補正方法】変更
【補正の内容】
【特許請求の範囲】
【請求項１】
設定された送信アドレスに基づいてデータを外部に送信する送信手段と、
前記送信アドレスを設定するためのアドレスデータを情報端末から受信する受信手段と、
前記受信手段によって受信されたアドレスデータに複数のアドレスが含まれている場合、当該複数のアドレスの中から前記送信アドレスとして設定すべきアドレスをユーザに選択させる選択画面を、当該アドレスデータを受信するのに応じて表示する表示手段と、
を有することを特徴とする情報処理装置。
【請求項２】
前記受信手段によって受信されたアドレスデータに含まれるアドレスが１つであった場合、前記選択画面を表示することなく当該アドレスを前記送信アドレスとして設定する設定手段を更に有することを特徴とする請求項１記載の情報処理装置。
【請求項３】
前記受信手段によって受信されたアドレスデータに含まれるアドレスの中から前記送信アドレスの候補となるアドレスを絞り込むための条件となるフィルタリングリストを保持する保持手段と、
前記表示手段は、前記保持手段によって保持されたフィルタリングリストに従ってフィルタリング処理されたアドレスを前記送信アドレスの候補として表示することを特徴とする請求項１又は２に記載の情報処理装置。
【請求項４】
前記フィルタリングリストは、前記情報処理装置において実行不可能な機能を示す情報を含むことを特徴とする請求項３記載の情報処理装置。
【請求項５】
前記フィルタリングリストは、ユーザ毎に使用が制限された機能を示す情報を含むことを特徴とする請求項３又は４に記載の情報処理装置。
【請求項６】
前記情報端末は携帯電話であり、前記アドレスデータは当該携帯電話において１つの宛先に対して登録されているアドレスであることを特徴とする請求項１乃至５の何れか一項に記載の情報処理装置。
【請求項７】
前記受信手段は、前記情報端末から前記アドレスデータを赤外線通信又はＢｌｕｅｔｏｏｔｈ又は短距離無線通信によって受信することを特徴とする請求項１乃至６の何れか一項に記載の情報処理装置。
【請求項８】
前記アドレスデータは、１つの宛先と、１つ或いは複数のアドレスとを含み、前記選択画面に表示されるアドレスは、前記１つの宛先に対して登録されているアドレスであることを特徴とする請求項１乃至７の何れか一項に記載の情報処理装置。
【請求項９】
情報処理装置の制御方法であって、
設定された送信アドレスに基づいてデータを外部に送信する送信ステップと、
前記送信アドレスを設定するためのアドレスデータを情報端末から受信する受信ステップと、
前記受信ステップによって受信されたアドレスデータに複数のアドレスが含まれている場合、当該複数のアドレスの中から前記送信アドレスとして設定すべきアドレスをユーザに選択させる選択画面を、当該アドレスデータを受信するのに応じて表示部に表示する表示ステップと、
を有することを特徴とする制御方法。
【請求項１０】
情報処理装置に以下のステップを実行させるコンピュータプログラムであって、
設定された送信アドレスに基づいてデータを外部に送信する送信ステップと、
前記送信アドレスを設定するためのアドレスデータを通信媒体を介して情報端末から受信する受信ステップと、
前記受信ステップによって受信されたアドレスデータに複数のアドレスが含まれている場合、当該複数のアドレスの中から前記送信アドレスとして設定すべきアドレスをユーザに選択させる選択画面を、当該アドレスデータを受信するのに応じて表示部に表示する表示ステップと、
を有することを特徴とするコンピュータプログラム。
【手続補正２】
【補正対象書類名】明細書
【補正対象項目名】０００６
【補正方法】変更
【補正の内容】
【０００６】
上記目的を達成するために、本発明の情報処理装置は、設定された送信アドレスに基づいてデータを外部に送信する送信手段と、前記送信アドレスを設定するためのアドレスデータを情報端末から受信する受信手段と、前記受信手段によって受信されたアドレスデータに複数のアドレスが含まれている場合、当該複数のアドレスの中から前記送信アドレスとして設定すべきアドレスをユーザに選択させる選択画面を、当該アドレスデータを受信するのに応じて表示する表示手段とを有することを特徴とする。
【手続補正書】
【提出日】平成23年8月5日(2011.8.5)
【手続補正１】
【補正対象書類名】特許請求の範囲
【補正対象項目名】全文
【補正方法】変更
【補正の内容】
【特許請求の範囲】
【請求項１】
読取装置が複数の原稿を読取ることで得られた複数の画像を含み、当該複数の画像が複数のページに区切られている画像ファイルを生成するためのデータ処理装置であって、
前記読取装置が原稿を読み取ることで得られた画像であって、１つの原稿における一部の領域に対応する画像を取得する取得手段と、
前記取得手段により順次取得された、１つの原稿における一部の領域に対応する画像を、メモリに順次記憶させることにより、１つのページに対応する画像を前記メモリに記憶させる記憶制御手段と、
前記記憶制御手段により前記メモリにページごとに記憶された画像が含まれている画像ファイルであって、当該画像ファイルに含まれるページの終了を示す終了情報を含む画像ファイルを、前記メモリ上に生成する生成手段と、を有し、
前記生成手段は、前記読取装置により１つのページに対応する画像が読み取られている途中で当該読取が中断された場合に、前記メモリにおいて当該１つのページの画像が前記記憶制御手段により書き込まれていた位置から書き込み位置を戻し、戻された当該書き込み位置に、前記終了情報を書き込むことを特徴とするデータ処理装置。
【請求項２】
前記生成手段は、前記読取装置による読取が途中で中断したページの画像が、前記画像ファイルに含まれる画像が出力されるときの出力対象とならないように、前記終了情報の書き込み位置を決定し、決定された当該書き込み位置に、当該終了情報を書き込むことを特徴とする請求項１に記載のデータ処理装置。
【請求項３】
前記生成手段は、前記読取装置により１つのページに対応する画像が読み取られている途中で当該読取が中断された場合であっても、ユーザによる指示に応じて、当該１つのページに対応する画像が前記出力対象となるように、前記終了情報を前記メモリに書き込んで、前記画像ファイルを生成することを特徴とする請求項２に記載のデータ処理装置。
【請求項４】
前記生成手段は、前記読取装置による読取が途中で中断したページの画像が、前記画像ファイルに含まれている画像が出力されるときの出力対象とならないように、前記終了情報を作成し、作成された当該終了情報を含む画像ファイルを生成することを特徴とする請求項１に記載のデータ処理装置。
【請求項５】
前記読取装置は、前記画像ファイルの生成処理を終了させるためのユーザによる指示に応じて、前記読取を中断することを特徴とする請求項１乃至４のいずれか１項に記載のデータ処理装置。
【請求項６】
前記読取装置は、前記メモリにおいて、前記記憶制御手段が画像を記憶させるためのメモリ領域が不足した場合に、前記読取を中断することを特徴とする請求項１乃至４のいずれか１項に記載のデータ処理装置。
【請求項７】
前記生成手段は、前記メモリ領域の不足のために、前記読取装置により１つページに対応する画像が読み取られている途中で当該読取が中断された場合、前記メモリにおいて当該１つのページの画像が書き込まれていた位置から戻された書き込み位置で、当該画像に上書きして、前記終了情報を書き込むことを特徴とする請求項６に記載のデータ処理装置。
【請求項８】
読取装置が複数の原稿を読取ることで得られた複数の画像を含み、当該複数の画像が複数のページに区切られている画像ファイルを生成するためのデータ処理方法であって、
前記読取装置が原稿を読み取ることで得られた画像であって、１つの原稿における一部の領域に対応する画像を取得する取得工程と、
前記取得工程において順次取得された、１つの原稿における一部の領域に対応する画像を、メモリに順次記憶させることにより、１つのページに対応する画像を前記メモリに記憶させる記憶制御工程と、
前記記憶制御工程において前記メモリにページごとに記憶された画像が含まれている画像ファイルであって、当該画像ファイルに含まれるページの終了を示す終了情報を含む画像ファイルを、前記メモリ上に生成する生成工程と、を有し、
前記生成工程では、前記読取装置により１つのページに対応する画像が読み取られている途中で当該読取が中断された場合に、前記メモリにおいて当該１つのページの画像が前記記憶制御工程において書き込まれていた位置から書き込み位置を戻し、戻された当該書き込み位置に、前記終了情報を書き込むことを特徴とするデータ処理方法。
【請求項９】
請求項８に記載のデータ処理方法をコンピュータに実行させるためのプログラム。
【手続補正２】
【補正対象書類名】明細書
【補正対象項目名】発明の名称
【補正方法】変更
【補正の内容】
【発明の名称】データ処理装置、データ処理方法、およびプログラム
【手続補正３】
【補正対象書類名】明細書
【補正対象項目名】０００１
【補正方法】変更
【補正の内容】
【０００１】
本発明は、複数の画像を含む画像ファイルを生成するためのデータ処理装置、データ処理方法、およびプログラムに関する。
【手続補正４】
【補正対象書類名】明細書
【補正対象項目名】００１３
【補正方法】変更
【補正の内容】
【００１３】
本発明は上記の課題を鑑みてなされてものであり、読取装置により１つのページに対応する画像が読み取られている途中で当該読取が中断された場合であっても、画像ファイルを適切に生成することができるデータ処理装置、データ処理方法、およびプログラムを提供することを目的とする。
【手続補正５】
【補正対象書類名】明細書
【補正対象項目名】００１４
【補正方法】変更
【補正の内容】
【００１４】
本発明のデータ処理装置は、読取装置が複数の原稿を読取ることで得られた複数の画像を含み、当該複数の画像が複数のページに区切られている画像ファイルを生成するためのデータ処理装置であって、前記読取装置が原稿を読み取ることで得られた画像であって、１つの原稿における一部の領域に対応する画像を取得する取得手段と、前記取得手段により順次取得された、１つの原稿における一部の領域に対応する画像を、メモリに順次記憶させることにより、１つのページに対応する画像を前記メモリに記憶させる記憶制御手段と、前記記憶制御手段により前記メモリにページごとに記憶された画像が含まれている画像ファイルであって、当該画像ファイルに含まれるページの終了を示す終了情報を含む画像ファイルを、前記メモリ上に生成する生成手段と、を有し、前記生成手段は、前記読取装置により１つのページに対応する画像が読み取られている途中で当該読取が中断された場合に、前記メモリにおいて当該１つのページの画像が前記記憶制御手段により書き込まれていた位置から書き込み位置を戻し、戻された当該書き込み位置に、前記終了情報を書き込むことを特徴とする。
【手続補正６】
【補正対象書類名】明細書
【補正対象項目名】００１５
【補正方法】変更
【補正の内容】
【００１５】
本発明によれば、読取装置により１つのページに対応する画像が読み取られている途中で当該読取が中断された場合であっても、画像ファイルを適切に生成することができる。
【手続補正書】
【提出日】平成22年12月10日(2010.12.10)
【手続補正１】
【補正対象書類名】特許請求の範囲
【補正対象項目名】全文
【補正方法】変更
【補正の内容】
【特許請求の範囲】
【請求項１】
動画像から対象物を検出する検出手段と、
前記検出手段で検出された対象物の最新の数を保持する保持手段と、
前記検出手段により検出された対象物の選択開始の操作、及び、一つの対象物を選択する場合の対象物の切り替え操作を、単一の操作部材による入力によって受け付ける操作受付手段と、
前記操作受付手段への操作回数をカウントするカウント手段と、
対象物の前記最新の数と前記操作回数とを比較して、前記操作回数が多いと判定した場合、前記操作回数のカウント数をクリアするとともに、対象物の選択を解除する解除手段とを備えたことを特徴とする撮像装置。
【請求項２】
前記選択開始の操作を受け付けた後に選択する対象物を切り替える際に、現在選択中の対象物に対し特定方向に対象物が存在する場合は該特定方向で最も近い対象物に切り替え、該特定方向に対象物が存在しない場合は、該特定方向と反対方向で最も遠くに位置する対象物に切り替えることを特徴とする請求項１に記載の撮像装置。
【請求項３】
前記検出手段により検出する対象物が人物の顔であることを特徴とする請求項１又は２に記載の撮像装置。
【請求項４】
選択された一つの対象物に対して、焦点調節、露出調節、ホワイトバランス調節、調光のうち少なくともいずれか一つの処理を施す処理手段を備えたことを特徴とする請求項１乃至３のいずれか１項に記載の撮像装置。
【請求項５】
前記動画像は撮影時のライブ画像であることを特徴とする請求項１乃至４のいずれか１項に記載の撮像装置。
【請求項６】
前記動画像は動画再生時の動画像であることを特徴とする請求項１乃至４のいずれか１項に記載の撮像装置。
【請求項７】
前記操作受付手段は、所定の条件に合致したときのみ、前記選択開始の操作、及び、一つの対象物を選択する場合の対象物の切り替え操作を、単一の操作部材による入力によって受け付けることを特徴とする請求項１乃至６のいずれか１項に記載の撮像装置。
【請求項８】
前記所定の条件は前記検出手段で検出している対象物が所定数以下であることを特徴とする請求項７に記載の撮像装置。
【請求項９】
動画像から対象物を検出する検出ステップと、
前記検出ステップで検出された対象物の最新の数を保持する保持ステップと、
前記検出ステップにより検出された対象物の選択開始の操作、及び、一つの対象物を選択する場合の対象物の切り替え操作を、単一の操作部材による入力によって受け付ける操作受付ステップと、
前記操作受付ステップへの操作回数をカウントするカウントステップと、
対象物の前記最新の数と前記操作回数とを比較して、前記操作回数が多いと判定した場合、前記操作回数のカウント数をクリアするとともに、対象物の選択を解除する解除ステップとを有することを特徴とする撮像装置の制御方法。
【請求項１０】
コンピュータを、
動画像から対象物を検出する検出手段、
前記検出手段で検出された対象物の最新の数を保持する保持手段、
前記検出手段により検出された対象物の選択開始の操作、及び、一つの対象物を選択する場合の対象物の切り替え操作を、単一の操作部材による入力によって受け付ける操作受付手段、
前記操作受付手段への操作回数をカウントするカウント手段、
対象物の前記最新の数と前記操作回数とを比較して、前記操作回数が多いと判定した場合、前記操作回数のカウント数をクリアするとともに、対象物の選択を解除する解除手段として機能させるためのプログラム。
【請求項１１】
コンピュータを、
動画像から対象物を検出する検出手段、
前記検出手段で検出された対象物の最新の数を保持する保持手段、
前記検出手段により検出された対象物の選択開始の操作、及び、一つの対象物を選択する場合の対象物の切り替え操作を、単一の操作部材による入力によって受け付ける操作受付手段、
前記操作受付手段への操作回数をカウントするカウント手段、
対象物の前記最新の数と前記操作回数とを比較して、前記操作回数が多いと判定した場合、前記操作回数のカウント数をクリアするとともに、対象物の選択を解除する解除手段として機能させるためのプログラムを記録したコンピュータが読み取り可能な記録媒体。
【手続補正２】
【補正対象書類名】明細書
【補正対象項目名】０００９
【補正方法】変更
【補正の内容】
【０００９】
本発明の撮像装置は、動画像から対象物を検出する検出手段と、前記検出手段で検出された対象物の最新の数を保持する保持手段と、前記検出手段により検出された対象物の選択開始の操作、及び、一つの対象物を選択する場合の対象物の切り替え操作を、単一の操作部材による入力によって受け付ける操作受付手段と、前記操作受付手段への操作回数をカウントするカウント手段と、対象物の前記最新の数と前記操作回数とを比較して、前記操作回数が多いと判定した場合、前記操作回数のカウント数をクリアするとともに、対象物の選択を解除する解除手段とを備えたことを特徴とする。
【手続補正書】
【提出日】平成23年8月2日(2011.8.2)
【手続補正１】
【補正対象書類名】特許請求の範囲
【補正対象項目名】全文
【補正方法】変更
【補正の内容】
【特許請求の範囲】
【請求項１】
電源と負荷との間に接続されるインダクタと、
前記インダクタと接続される第１のスイッチ手段と、
前記第１のスイッチ手段と前記負荷との間に接続されるダイオードと、
前記インダクタ及び前記ダイオードと並列接続される第２のスイッチ手段と、
前記電源から供給される直流電圧と所定の電圧とに応じて、前記第１のスイッチ手段と前記第２のスイッチ手段とを制御する制御手段とを有し、
前記直流電圧が前記所定の電圧以上である場合、前記制御手段は、前記第２のスイッチ手段を介して前記電源から前記負荷に電源供給されるようにし、
前記直流電圧が前記所定の電圧以上でない場合、前記制御手段は、前記ダイオードを介して前記負荷に電源供給されるようにすることを特徴とする電子機器。
【請求項２】
前記直流電圧が前記所定の電圧以上である場合、前記制御手段は、前記第２のスイッチ手段がオンになるとともに、前記第１のスイッチ手段がオフになるように制御し、
前記直流電圧が前記所定の電圧以上でない場合、前記制御手段は、前記第２のスイッチ手段がオフになるとともに、前記第１のスイッチ手段がPWM制御されるように制御することを特徴とする請求項１に記載の電子機器。
【請求項３】
前記第２のスイッチ手段と前記負荷との間に接続される電圧変換手段と、
前記ダイオードと前記負荷との間に接続される第３のスイッチ手段とを有し、
前記電圧変換手段は、前記直流電圧を降圧することによって、前記負荷に電源供給されるようにし、
前記電子機器の電源がオフである場合、前記制御手段は、前記負荷に電源供給されないように前記第３のスイッチ手段を制御することを特徴とする請求項１または２に記載の電子機器。
【手続補正２】
【補正対象書類名】明細書
【補正対象項目名】発明の名称
【補正方法】変更
【補正の内容】
【発明の名称】電子機器
【手続補正３】
【補正対象書類名】明細書
【補正対象項目名】０００１
【補正方法】変更
【補正の内容】
【０００１】
本発明は、電子機器に関する。
【手続補正４】
【補正対象書類名】明細書
【補正対象項目名】００１０
【補正方法】変更
【補正の内容】
【００１０】
そこで、本発明は、負荷への電源供給状態を切り替える場合であっても、負荷への電源供給の瞬断が発生しないようにすることを目的とする。
【手続補正５】
【補正対象書類名】明細書
【補正対象項目名】００１１
【補正方法】変更
【補正の内容】
【００１１】
本発明に係る電子機器は、電源と負荷との間に接続されるインダクタと、前記インダクタと接続される第１のスイッチ手段と、前記第１のスイッチ手段と前記負荷との間に接続されるダイオードと、前記インダクタ及び前記ダイオードと並列接続される第２のスイッチ手段と、前記電源から供給される直流電圧と所定の電圧とに応じて、前記第１のスイッチ手段と前記第２のスイッチ手段とを制御する制御手段とを有し、前記直流電圧が前記所定の電圧以上である場合、前記制御手段は、前記第２のスイッチ手段を介して前記電源から前記負荷に電源供給されるようにし、前記直流電圧が前記所定の電圧以上でない場合、前記制御手段は、前記ダイオードを介して前記負荷に電源供給されるようにすることを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
本発明によれば、負荷への電源供給状態を切り替える場合であっても、負荷への電源供給の瞬断が発生しないようにすることができる。
【手続補正書】
【提出日】平成23年8月2日(2011.8.2)
【手続補正１】
【補正対象書類名】特許請求の範囲
【補正対象項目名】全文
【補正方法】変更
【補正の内容】
【特許請求の範囲】
【請求項１】
電源装置であって、
昇圧コンバータと、
降圧コンバータと、
前記電源装置に接続される電池の電圧降下量が所定値以上である場合、前記電池から出力される電圧が前記昇圧コンバータ及び前記降圧コンバータを介して負荷に供給されるようにする制御手段とを有し、
前記電圧降下量が前記所定値以上でない場合、前記制御手段は、前記電池から出力される電圧が前記昇圧コンバータを介して前記負荷に供給されることなく前記降圧コンバータを介して前記負荷に供給されるようにすることを特徴とする電源装置。
【請求項２】
前記制御手段は、前記電圧降下量と前記所定値とを比較することによって、前記電池の内部抵抗を検出することを特徴とする請求項１に記載の電源装置。
【請求項３】
前記電源装置は、撮像装置に含まれることを特徴とする請求項１または２に記載の電源装置。
【請求項４】
前記制御手段は、前記電圧降下量を検出することを特徴とする請求項１から３のいずれか１項に記載の電源装置。
【請求項５】
電源装置であって、
昇圧コンバータと、
降圧コンバータと、
前記電源装置に接続される電池が所定の電池である場合、前記電池から出力される電圧が前記昇圧コンバータ及び前記降圧コンバータを介して負荷に供給されるようにする制御手段とを有し、
前記電池が前記所定の電池でない場合、前記制御手段は、前記電池から出力される電圧が前記昇圧コンバータを介して前記負荷に供給されることなく前記降圧コンバータを介して前記負荷に供給されるようにすることを特徴とする電源装置。
【請求項６】
前記制御手段は、前記電池に含まれる情報を用いて、前記電池の内部抵抗を検出することを特徴とする請求項５に記載の電源装置。
【請求項７】
前記電源装置は、撮像装置に含まれることを特徴とする請求項５または６に記載の電源装置。
【請求項８】
前記所定の電池は、前記電池の内部抵抗が所定値以上である電池を含むことを特徴とする請求項５から７のいずれか１項に記載の電源装置。
【手続補正２】
【補正対象書類名】明細書
【補正対象項目名】発明の名称
【補正方法】変更
【補正の内容】
【発明の名称】電源装置
【手続補正３】
【補正対象書類名】明細書
【補正対象項目名】０００１
【補正方法】変更
【補正の内容】
【０００１】
本発明は、電源装置に関する。
【手続補正４】
【補正対象書類名】明細書
【補正対象項目名】０００６
【補正方法】変更
【補正の内容】
【０００６】
本発明の目的は、電池の消費を低減させることを目的とする。
【手続補正５】
【補正対象書類名】明細書
【補正対象項目名】０００７
【補正方法】変更
【補正の内容】
【０００７】
本発明に係る電源装置は、電源装置であって、昇圧コンバータと、降圧コンバータと、前記電源装置に接続される電池の電圧降下量が所定値以上である場合、前記電池から出力される電圧が前記昇圧コンバータ及び前記降圧コンバータを介して負荷に供給されるようにする制御手段とを有し、前記電圧降下量が前記所定値以上でない場合、前記制御手段は、前記電池から出力される電圧が前記昇圧コンバータを介して前記負荷に供給されることなく前記降圧コンバータを介して前記負荷に供給されるようにすることを特徴とする。
【手続補正６】
【補正対象書類名】明細書
【補正対象項目名】０００８
【補正方法】変更
【補正の内容】
【０００８】
本発明に係る電源装置は、電源装置であって、昇圧コンバータと、降圧コンバータと、前記電源装置に接続される電池が所定の電池である場合、前記電池から出力される電圧が前記昇圧コンバータ及び前記降圧コンバータを介して負荷に供給されるようにする制御手段とを有し、前記電池が前記所定の電池でない場合、前記制御手段は、前記電池から出力される電圧が前記昇圧コンバータを介して前記負荷に供給されることなく前記降圧コンバータを介して前記負荷に供給されるようにすることを特徴とする。
【手続補正７】
【補正対象書類名】明細書
【補正対象項目名】０００９
【補正方法】変更
【補正の内容】
【０００９】
本発明によれば、電池の消費を低減させることができる。
【手続補正書】
【提出日】平成23年8月2日(2011.8.2)
【手続補正１】
【補正対象書類名】特許請求の範囲
【補正対象項目名】全文
【補正方法】変更
【補正の内容】
【特許請求の範囲】
【請求項１】
画像を記録・再生する記録媒体を備える撮像装置において、
前記記録媒体に前記画像を記録する記録モードにおいて前記記録媒体の初期化の指示を選択させる画面を表示する第１の表示手段と、
前記第１の表示手段において前記初期化の指示が選択されると、前記記録媒体に記録された前記画像を再生する再生モードに切替える第１の切替え手段と、
前記第１の切替え手段により前記再生モードに切替えると、前記記録媒体に記録されている前記画像の表示を行うとともに、前記初期化を実行するか否かを選択させる第２の表示手段と、
前記第２の表示手段において前記初期化の実行が選択されると、前記初期化を実行する実行手段と、
前記実行手段により前記初期化が実行された場合及び前記第２の表示手段において前記初期化の実行が選択されなかった場合に、前記記録モードに切替える第２の切替え手段と、
を備えることを特徴とする撮像装置。
【請求項２】
前記第１の切替え手段により前記再生モードに切替える場合に、撮像部の記録準備状態を保持することを特徴とする請求項１記載の撮像装置。
【請求項３】
前記第２の表示手段は、前記第１の切替え手段により前記再生モードに切替えると、前記記録媒体に記録されている前記画像のサムネイル画面の表示を行い、
前記第２の表示手段により前記サムネイル画面の表示を行う場合には、前記サムネイル画面が複数ページに亘るときは、一定時間毎に前記サムネイル画面のページを送ることを特徴とする請求項１または２記載の撮像装置。
【請求項４】
画像を記録・再生する記録媒体を備える撮像装置の記録媒体の初期化方法において、
前記記録媒体に前記画像を記録する記録モードにおいて前記記録媒体の初期化の指示を選択させる画面を表示する第１の表示ステップと、
前記第１の表示ステップにおいて前記初期化の指示が選択されると、前記記録媒体に記録された前記画像を再生する再生モードに切替える第１の切替えステップと、
前記第１の切替えステップにより前記再生モードに切替えると、前記記録媒体に記録されている前記画像の表示を行うとともに、前記初期化を実行するか否かを選択させる第２の表示ステップと、
前記第２の表示ステップにおいて前記初期化の実行が選択されると、前記初期化を実行する実行ステップと、
前記実行ステップにより前記初期化が実行された場合及び前記第２の表示ステップにおいて前記初期化の実行が選択されなかった場合に、前記記録モードに切替える第２の切替えステップと、
を備えることを特徴とする撮像装置の記録媒体の初期化方法。
【請求項５】
前記第１の切替えステップにより前記再生モードに切替える場合に、撮像部の記録準備状態を保持することを特徴とする請求項４記載の撮像装置の記録媒体の初期化方法。
【請求項６】
前記第２の表示ステップでは、前記第１の切替えステップにより前記再生モードに切替えると、前記記録媒体に記録されている前記画像のサムネイル画面の表示を行い、
前記第２の表示ステップにより前記サムネイル画面の表示を行う場合には、前記サムネイル画面が複数ページに亘るときは、一定時間毎に前記サムネイル画面のページを送ることを特徴とする請求項４または５記載の撮像装置の記録媒体の初期化方法。
【手続補正２】
【補正対象書類名】明細書
【補正対象項目名】００１８
【補正方法】変更
【補正の内容】
【００１８】
上記目的を達成するために、本発明の撮像装置は、画像を記録・再生する記録媒体を備える撮像装置において、前記記録媒体に前記画像を記録する記録モードにおいて前記記録媒体の初期化の指示を選択させる画面を表示する第１の表示手段と、前記第１の表示手段において前記初期化の指示が選択されると、前記記録媒体に記録された前記画像を再生する再生モードに切替える第１の切替え手段と、前記第１の切替え手段により前記再生モードに切替えると、前記記録媒体に記録されている前記画像の表示を行うとともに、前記初期化を実行するか否かを選択させる第２の表示手段と、前記第２の表示手段において前記初期化の実行が選択されると、前記初期化を実行する実行手段と、前記実行手段により前記初期化が実行された場合及び前記第２の表示手段において前記初期化の実行が選択されなかった場合に、前記記録モードに切替える第２の切替え手段と、を備えることを特徴とする。
【手続補正３】
【補正対象書類名】明細書
【補正対象項目名】００１９
【補正方法】削除
【補正の内容】
【手続補正４】
【補正対象書類名】明細書
【補正対象項目名】００２０
【補正方法】変更
【補正の内容】
【００２０】
本発明によれば、フォーマットを所望していない記録メディアを誤って装着してしまった場合に、そのまま内容確認せずにフォーマットしてしまう危険性を低減することができる。
【手続補正書】
【提出日】平成23年8月4日(2011.8.4)
【手続補正１】
【補正対象書類名】特許請求の範囲
【補正対象項目名】全文
【補正方法】変更
【補正の内容】
【特許請求の範囲】
【請求項１】
撮像素子を備え、前記撮像素子により被写体像を撮像した画像から、前記撮像素子を遮光した状態で取得した黒画像を減算する黒引き処理により、前記撮像素子の固有ノイズを除去した撮像画像を取得可能な撮像装置であって、
前記黒画像を複数の分割画像に分割する分割手段と、
前記分割画像の各々について、一方向に延在するノイズの有無を検出することで前記固有ノイズの有無を検出する第１検出手段と、
前記第１検出手段により固有ノイズが検出された分割画像の各々について、当該固有ノイズの延在方向を検出する第２検出手段と、
前記分割画像の各々について、前記固有ノイズが検出されていない分割画像については２次元平滑化画像処理を行い、前記固有ノイズが検出された分割画像については前記固有ノイズの延在方向に依存した平滑化画像処理を行う画像処理手段とを有し、
前記画像処理手段による画像処理後の分割画像からなる黒画像を、前記黒引き処理に用いることを特徴とする撮像装置。
【請求項２】
前記第１検出手段は、前記分割画像の各々について、当該分割画像における垂直方向の画像信号成分と水平方向の画像信号成分との差分に基づいて、前記一方向に延在するノイズの有無を検出することを特徴とする請求項１に記載の撮像装置。
【請求項３】
前記垂直方向の画像信号成分及び前記水平方向の画像信号成分は、前記分割画像の画像信号における高周波成分であることを特徴とする請求項２に記載の撮像装置。
【請求項４】
前記撮像素子は、前記被写体像の撮像時において当該被写体像を受光するための受光領域と、遮光された遮光領域と、を有し、
前記分割手段は、前記黒画像のうち、前記受光領域に対応する黒画像を複数の画像に分割することを特徴とする請求項１乃至３のいずれか一項に記載の撮像装置。
【請求項５】
前記画像処理手段は、前記固有ノイズが検出された分割画像については前記第２検出手段により検出された延在方向に１次元の平滑化画像処理を行うことを特徴とする請求項１乃至４のいずれか一項に記載の撮像装置。
【請求項６】
撮像素子を備え、前記撮像素子により被写体像を撮像した画像から、前記撮像素子を遮光した状態で取得した黒画像を減算する黒引き処理により、前記撮像素子の固有ノイズを除去した撮像画像を取得可能な撮像装置の制御方法であって、
前記撮像装置の分割手段が、前記黒画像を複数の分割画像に分割する分割工程と、
前記撮像装置の第１検出手段が、前記分割画像の各々について、一方向に延在するノイズの有無を検出することで前記固有ノイズの有無を検出する第１検出工程と、
前記撮像装置の第２検出手段が、前記第１検出工程において固有ノイズが検出された分割画像の各々について、当該固有ノイズの延在方向を検出する第２検出工程と、
前記撮像装置の画像処理手段が、前記分割画像の各々について、前記固有ノイズが検出されていない分割画像については２次元平滑化画像処理を行い、前記固有ノイズが検出された分割画像については前記固有ノイズの延在方向に依存した平滑化画像処理を行う画像処理工程とを有し、
前記画像処理工程における画像処理後の分割画像からなる黒画像を、前記黒引き処理に用いることを特徴とする撮像装置の制御方法。
【請求項７】
コンピュータを、請求項１乃至５のいずれか１項に記載の撮像装置の各手段として機能させるためのプログラム。
【手続補正２】
【補正対象書類名】明細書
【補正対象項目名】０００９
【補正方法】変更
【補正の内容】
【０００９】
上記目的は、撮像素子を備え、前記撮像素子により被写体像を撮像した画像から、前記撮像素子を遮光した状態で取得した黒画像を減算する黒引き処理により、前記撮像素子の固有ノイズを除去した撮像画像を取得可能な撮像装置であって、前記黒画像を複数の分割画像に分割する分割手段と、前記分割画像の各々について、一方向に延在するノイズの有無を検出することで前記固有ノイズの有無を検出する第１検出手段と、前記第１検出手段により固有ノイズが検出された分割画像の各々について、当該固有ノイズの延在方向を検出する第２検出手段と、前記分割画像の各々について、前記固有ノイズが検出されていない分割画像については２次元平滑化画像処理を行い、前記固有ノイズが検出された分割画像については前記固有ノイズの延在方向に依存した平滑化画像処理を行う画像処理手段とを有し、前記画像処理手段による画像処理後の分割画像からなる黒画像を、前記黒引き処理に用いることを特徴とする本発明による撮像装置によって達成される。
【手続補正３】
【補正対象書類名】明細書
【補正対象項目名】００１０
【補正方法】変更
【補正の内容】
【００１０】
また、上記目的は、撮像素子を備え、前記撮像素子により被写体像を撮像した画像から、前記撮像素子を遮光した状態で取得した黒画像を減算する黒引き処理により、前記撮像素子の固有ノイズを除去した撮像画像を取得可能な撮像装置の制御方法であって、前記撮像装置の分割手段が、前記黒画像を複数の分割画像に分割する分割工程と、前記撮像装置の第１検出手段が、前記分割画像の各々について、一方向に延在するノイズの有無を検出することで前記固有ノイズの有無を検出する第１検出工程と、前記撮像装置の第２検出手段が、前記第１検出工程において固有ノイズが検出された分割画像の各々について、当該固有ノイズの延在方向を検出する第２検出工程と、前記撮像装置の画像処理手段が、前記分割画像の各々について、前記固有ノイズが検出されていない分割画像については２次元平滑化画像処理を行い、前記固有ノイズが検出された分割画像については前記固有ノイズの延在方向に依存した平滑化画像処理を行う画像処理工程とを有し、前記画像処理工程における画像処理後の分割画像からなる黒画像を、前記黒引き処理に用いることを特徴とする本発明による撮像装置の制御方法によっても達成される。